(57)【要約】      （修正有）【課題】通帳及び帳票に対する印字をそれぞれに適したプリンタ部で行うことができ、装置構成を小形化でき、しかも、効率的な印字を行うことができる印字装置を提供する。【解決手段】挿入口１１から挿入された通帳を、第１の搬送路２１は、所定の印字位置へ向けて下流方向に搬送すると共に、通帳を下流方向とは逆向きに搬送して挿入口１１から排出させる。印字位置に送られてきた通帳は第１のプリンタ部１２で印字される。また、挿入口１１から見て奥側に第２のプリンタ部１４を配置する。第２のプリンタ部１４で印字された用紙も、挿入口１１から排出させるために、第２の搬送路２５から第１の搬送路２１に合流させる。第１の搬送路２１の下流側端部に回収部を配置する。第１の搬送路２１と第２の搬送路２５との合流部にはフラッパー２７切換え可能に設け、この搬送されてきた通帳又は用紙を回収部に案内する回収路とに切換える。【選択図】図２
2010214617.tif 000002
【特許請求の範囲】
【請求項１】
挿入口と、
この挿入口から挿入された第１の印字媒体を所定の印字位置へ向けて下流方向に搬送すると共に、前記第１の印字媒体を前記下流方向とは逆向きに搬送して前記挿入口から排出させるための第１の搬送路と、
前記印字位置に送られてきた前記第１の印字媒体へ印字を行う第１のプリンタ部と、
前記挿入口から見て前記第１のプリンタ部の奥側に配置された、印字方式が前記第１のプリンタ部と異なる第２のプリンタ部と、
この第２のプリンタ部で印字された第２の印字媒体を、前記第１の搬送路により前記挿入口から排出させるために、この第１の搬送路の、前記第１のプリンタ部より下流側に合流させる第２の搬送路と、
前記第１の搬送路の、前記第２の搬送路との合流部より下流側に配置された回収部と、
前記第１の搬送路と第２の搬送路との合流部に切換え可能に設けられ、この合流部を、前記第２のプリンタ部で印字された第２の印字媒体を前記第２の搬送路から第１の搬送路へ導く合流路と、前記第１の搬送路が前記挿入口にある前記第１の印字媒体又は第２の印字媒体を下流方向に搬送するとき、この搬送されてきた第１の印字媒体又は第２の印字媒体を前記回収部に案内する回収路とに切換えるフラッパーと、
を備えたことを特徴とする印字装置。
【請求項２】
前記第１のプリンタ部に対して前記第２のプリンタ部の方が、印字速度が高速であることを特徴とする請求項１に記載の印字装置。
【請求項３】
前記第１のプリンタ部はシリアル印字方式であり、前記第２のプリンタ部はライン印字方式であることを特徴とする請求項１に記載の印字装置。
【発明の詳細な説明】
【技術分野】
【０００１】
本発明は、印字方式の異なる２種類のプリンタ部を有する印字装置に関する。
【背景技術】
【０００２】
現在、金融機関などで用いられる通帳類への印字に対してはドットプリンタが用いられていた。このドットプリンタは、印字方向に沿って移動するドットヘッドを有し、そのドットピンによりプラテン上の通帳類をインクリボンと共に打撃して印字を行う。また、このように通帳類への印字を行う場合は、併せて計算書などの帳票へも印字を行うことが要求される。従来、この帳票への印字も、通帳への印字に用いられていたドットプリンタで行われていた（例えば、特許文献１参照）。
【０００３】
ここで、通帳類への印字は、ドットプリンタによる印字が必須であるが、帳票への印字は、必ずしもドットプリンタで行う必要はない。ドットプリンタは周知のようにドットヘッドを、印字対象の搬送方向を横断するように移動させて印字を行うものであるから、印字速度が比較的低速となる。このため、帳票までドットプリンタで印字することは、印字時間を長引かせることにもなり、効率上からも好ましくない。
【０００４】
そこで、通帳はドットプリンタで印字し、関連する帳票は、より高速に印字可能な静止型のラインヘッドを用いる例えばサーマルプリンタにより印字することが考えられた（例えば、特許文献２参照）。
【先行技術文献】
【特許文献】
【０００５】
【特許文献１】特開２００７−１９０９０４号公報
【特許文献２】実開平２−１５３６６号（実願昭６３−９３６８８明細書）
【発明の概要】
【発明が解決しようとする課題】
【０００６】
しかしながら、特許文献２に記載された従来技術は、ドットプリンタによる通帳印字装置と、サーマルプリンタによる帳票印字装置とを、単に並設しただけの構造であり、装置構成の小形化が困難であった。また、この種の印字装置では、印字後に通帳及び帳票を使用者に返却するが、この返却された通帳及び帳票を使用者が取り忘れた場合、これらをキャプチャービンへ自動的に回収する機構が必要となる。しかし、上述のように印字方式の異なる印字装置を単に並設しただけの構造の場合、これらの自動回収機構もそれぞれ設けなければならず、このことからも装置構成の小形化が困難であり、金融機関のＡＴＭ装置等への適用が難しかった。
【０００７】
本発明の目的は、通帳などの第１の印字媒体及び帳票などの第２の印字媒体に対する印字をそれぞれに適したプリンタ部で行うことができ、しかもキャプチャービンへの自動回収は共用化できることから装置構成を小形化でき、しかも、効率的な印字を行うことができる印字装置を提供することにある。
【課題を解決するための手段】
【０００８】
本発明の印字装置は、挿入口と、この挿入口から挿入された第１の印字媒体を所定の印字位置へ向けて下流方向に搬送すると共に、前記第１の印字媒体を前記下流方向とは逆向きに搬送して前記挿入口から排出させるための第１の搬送路と、前記印字位置に送られてきた前記第１の印字媒体へ印字を行う第１のプリンタ部と、前記挿入口から見て前記第１のプリンタ部の奥側に配置された、印字方式が前記第１のプリンタ部と異なる第２のプリンタ部と、この第２のプリンタ部で印字された第２の印字媒体を、前記第１の搬送路により前記挿入口から排出させるために、この第１の搬送路の、前記第１のプリンタ部より下流側に合流させる第２の搬送路と、前記第１の搬送路の、前記第２の搬送路との合流部より下流側に配置された回収部と、前記第１の搬送路と第２の搬送路との合流部に切換え可能に設けられ、この合流部を、前記第２のプリンタ部で印字された第２の印字媒体を前記第２の搬送路から第１の搬送路へ導く合流路と、前記第１の搬送路が前記挿入口にある前記第１の印字媒体又は第２の印字媒体を下流方向に搬送するとき、この搬送されてきた第１の印字媒体又は第２の印字媒体を前記回収部に案内する回収路とに切換えるフラッパーとを備えたことを特徴とする。
【０００９】
また、本発明では、前記第１のプリンタ部に対して前記第２のプリンタ部の方が、印字速度が高速である。
【００１０】
さらに、本発明では、前記第１のプリンタ部はシリアル印字方式であり、前記第２のプリンタ部はライン印字方式である。
【発明の効果】
【００１１】
本発明によれば、通帳などの第１の印字媒体印字用の第１のプリンタ部及び帳票などの第２の印字媒体印字用の第２の印字部を合理的に配置すると共に、キャプチャービンへの回収は共用化することで装置構成を小形化でき、しかも、効率的な印字を行うことができるという効果を奏する。
【図面の簡単な説明】
【００１２】
【図１】本発明による印字装置の一実施の形態を示す外観図である。
【図２】図１で示した装置本体の内部構成を示す図である。
【図３】図２における合流部を拡大して示す図である。
【発明を実施するための形態】
【００１３】
以下、本発明による印字装置の一実施の形態について、図面を用いて詳細に説明する。
【００１４】
図１は、この実施の形態による印字装置の外観形状を示している。図１において、装置本体１０の図示左端部には、通帳などの第１の印字媒体（以下、通帳として話を進める）の挿入口１１が設けられている。また、装置本体１０の図示中央部左寄りの位置には、挿入された通帳に対して印字を行う第１のプリンタ部１２が設けられている。この第１のプリンタ部１２としては、印字方向に沿って移動するシリアルヘッドを有する、例えば、ドットプリンタを用いるものとして説明する。なお、ドットプリンタ１２による印字が終了した通帳は、装置本体１０内において後述するようにバックフィードされ、図示左端の挿入口１１から排出される。
【００１５】
装置本体１０の図示右寄りの位置には、計算書などの帳票からなる第２の印字媒体（以下、帳票又は用紙として話を進める）を印字する第２のプリンタ部１４が設置されている。この第２のプリンタ部１４としては、静止型のラインヘッドを有する、例えば、サーマルプリンタを用いるものとする。このサーマルプリンタ１４は、装置本体１０の図示右端部に設けられた用紙供給部１５から供給される用紙に対して所定の印字を行い、計算書などの帳票を作成する。用紙供給部１５は、ロール状に巻回された用紙を収容している。サーマルプリンタ１４は、用紙供給部１５からの用紙を図示右側から取り入れ、所定の印字を施して図示左側へ搬送する。印字された帳票用紙は、装置本体１０内の後述する搬送路を経て、図示左端の挿入口１１から排出される。
【００１６】
次に、図２を用いて、装置本体１０内の、特に搬送路を主体とした構成を説明する。装置本体１０内には、その図示左端に設けられた挿入口１１から図示右方に向って、第１の搬送路２１が直線状に構成されている。ドットプリンタ１２は、この第１の搬送路２１の下流側（図示右側）の途中部分に設けられている。この第１の搬送路２１は、挿入口１１から挿入された通帳を、ドットプリンタ１２による所定の印字位置へ向けて搬送する。また、ドットプリンタ１２による印字後は、通帳を前記下流方向とは逆向き（図示左方）に搬送（バックフィード）して挿入口１１から排出させる。
【００１７】
この第１の搬送路２１は、具体的には、上下一対の駆動ローラ２２及びピンチローラ２３を、搬送方向に沿って所定の間隔で複数対配置したものである。また、この第１の搬送路２１の、挿入ロ１１の近くの位置には、シャッター２４が開閉可能に設けられている。このシャッター２４は、通常時は通帳が装置本体１０の内部まで進入できないように閉じている。このシャッター２４の手前には、図示しないが、挿入口１１から差し込まれた通帳の用紙幅を検知する用紙幅検知センサー、及び通帳が挿入されたことを検知する用紙挿入センサーが設けられている。もちろん、シャッター２４の手前の部分にも、搬送用の駆動ローラ２２とピンチローラ２３が設けられている。
【００１８】
また、第１の搬送路２１の、シャッター２４より奥側（図示右側）にも上下一対の駆動ローラ２２及びピンチローラ２３が、最小用紙長の通帳を２組の対によってピンチできる間隔で配置されている。この第１の搬送路２１の、シャッター２４より奥側の部分は、ドットプリンタ１２に対して通帳を整列させるアライメント位置となっている。このアライメント位置には、図示しないが、通帳の用紙長を検知するセンサーや、通帳を搬送路の図示しない一側部に形成されたアライメント部に向けて搬送方向と直交する方向に移動させるアライメント用の駆動ローラとピンチローラ（以下、アライメントローラと呼ぶ）などが設けられている。
【００１９】
ここで、ドットプリンタ１２は、第１の搬送路２１の上下に配置されたドットヘッド１２ａとプラテン１２ｂとを有する。プラテン１２ｂは、第１の搬送路２１上に、その搬送方向を横断する方向（紙面と直交する方向）で設置されている。また、ドットヘッド１２ａは、このプラテン１２ｂの上方に、その長さ方向に沿って、すなわち、第１の搬送路２１の搬送方向を横断する方向に往復移動する。そして、プラテン１２上に位置する通帳の印字ページに対して、上方に位置するドットヘッド１２ａにより印字が行われる。
【００２０】
ドットヘッド１２の移動幅（印刷幅）は印字対象通帳の最大幅に設定されており、通帳の大きさにより異なるが、印字開始地点は一定地点に合わせる必要がある。前記アライメント位置では、通帳をアライメント用のローラにより、搬送方向と直交する方向に移動させて通帳の側辺部を、搬送方向の一側部に形成されたアライメント部に当接させて整列させ、ドットヘッド１２による印字ページへの印字開始地点を位置合わせする。
【００２１】
第２のプリンタ部として用いられるサーマルプリンタ１４は、挿入口１１から見て奥側に配置されている。サーマルプリンタ１４は、前述のように用紙供給部１５からの用紙を図示右側から取り入れ、所定の印字を施して図示左側へ搬送する。サーマルプリンタ１４で印字された用紙は第２の搬送路２５により、第１の搬送路２１の、ドットプリンタ１２より下流側（図示右側）に合流される。この第２の搬送路２５も、上下一対の駆動ローラ２２及びピンチローラ２３を有し、サーマルプリンタ１４により印字された用紙を図示左斜め下方に搬送し、上述のように第１の搬送路２１上に合流させる。第１の搬送路２１に合流された印字済の帳票用紙は、第１の搬送路２１により、図示左端の挿入口１１へ搬送され、排出される。
【００２２】
第１の搬送路２１の下流端、すなわち、第２の搬送路２５との合流部より下流側（図示右側）には回収部（以下、キャプチャービンと呼ぶ）２６が配置されている。このキャプチャービン２６は、後述するように、挿入口１１にて取り忘れられた通帳や帳票用紙を回収するために用いられる。
【００２３】
また、第１の搬送路２１と第２の搬送路２５との合流部には、図３で示すようにフラッパー２７が切換え可能に設けられている。このフラッパー２７は、図示右側を支点として回動可能に構成されている。そして、図示反時計回りに回動した状態では、サーマルプリンタ１４で印字された用紙を第２の搬送路２５から第１の搬送路２１上へ導く合流路を形成する。これに対し、図示時計回りに回動した状態では、図示のように第１の搬送と２１とキャプチャービン２６とを結ぶ回収路を形成する。この回収路は、挿入口１１に残留する取り忘れられた通帳や帳票用紙を回収するためのもので、第１の搬送路２１により搬送されてきた通帳又は用紙を、キャプチャービン２６に案内する。すなわち、フラッパー２７は、第１の搬送路２１と第２の搬送路２５との合流部に設けられ、上述した合流路又は回収路を形成すべく切換え操作される。
【００２４】
上記構成において、通帳が挿入ロ１１に入れられると、まず図示しない用紙幅検知センサーにて正しい通帳か判断される。その結果、正しい通帳と認識され、かつ図示しない用紙挿入センサーが用紙を感知した場合のみ、シャッター２４がオープンになり、駆動ローラ２２とピンチローラ２３とで用紙の搬送を始める。通帳がアライメント位置に達すると、用紙長センサーにより通帳の長さを検知し、図示しないアライメントローラに対して、各用紙長毎に決められた位置に通帳を停止させる。そして、アライメントローラにより通帳を搬送方向と直交する方向に移動させ、通帳の一側辺をアライメント部に当接させて、整列させる。すなわち、ドットヘッド１２ａによる印字開始位置に通帳の印字ページを位置合わせする。
【００２５】
通帳が正しく整列されると、図示しない通帳の行検知機構により印字位置を検知し、プラテン１２ｂ上に通帳の印字部分を搬送し、ドットヘッド１２ａを作動させて印字を行う。
【００２６】
通帳に対する印字が完了すると、第１の搬送路２１により通帳をバックフィードし、挿入ロ１１から排出させる。この通帳を、お客様が取り忘れた場合、一定時間経過後、第１の搬送路２１により再び下流方向に搬送する。このときフラッパー２７は、図示右側の支点を中心に時計回りに回動させておき、図３で示すように、第１の搬送路２１とキャプチャービン２６とを結ぶ回収路を形成しておく。このため、第１の搬送路２１により下流方向に搬送されてきた通帳は、フラッパー２７により回収路が形成されている合流部を経てキヤプチヤーピン２６に回収される。
【００２７】
計算書などの帳票を印字する場合は、用紙供給部１５からサーマルプリンタ１４に用紙を供給し、サーマルプリンタ１４にて印字後、図示しないロータリーカッターにて用紙を切断し、第２の搬送路２５によって用紙を図示左斜め下方へ搬送する。このときフラッパー２７は、図示右側の支点を中心に反時計回りに回動させておき、第２の搬送路２５から第１の搬送路２１上に通じる合流路を形成しておく。このため、印字済の帳票用紙は、フラッパー２７によって合流路が形成されている合流部を経て第１の搬送路２１上に合流される。第１の搬送路２１は合流された帳票用紙をバックフィードし、装置本体１０の前側（図示左側）の挿入ロ１１から帳票用紙を排出させる。この帳票用紙をお客様が取り忘れた場合、通帳と同様に、一定時間経過後、第１の搬送路２１により再び下流方向に搬送し、フラッパー２７が回収路を形成している合流部を経てキヤプチヤーピン２６に回収させる。
【００２８】
このように、通帳印字用の第１のプリンタ部１２を手前側に、奥側に帳票印字用の第２のプリンタ部１４を配置し、これらによって印字された通帳及び帳票用紙を、装置本体１０の前側に設けられた挿入口から、共通に排出させるようにしたので、従来の印字方式の異なるプリンタを単に並設しただけの印字装置に比べ、使用者に対する利便性が高くなり、装置全体の小形化が可能になる。
【００２９】
また、通帳印字用の第１のプリンタ部１２は、ドットヘッド１２ａなどの、シリアルヘッドの移動により印字を行う方式であり、帳票印字用の第２のプリンタ部１４のような、静止型のラインヘッドにより印字を行うものに比べ、印字速度及び印字対象部の搬送速度を含めた印字処理速度が遅い。本発明では印字処理速度の比較的遅い通帳印字用の第１のプリンタ部１２を挿入口１１に近い手前側に配置し、印字処理速度の比較的速い帳票印字用の第２のプリンタ部１４は、挿入口１１に対して奥側に配置したので、全体的なスループットを低下させることはなく、効率的に印字を行うことができる。
【００３０】
また、本発明のように２種類のプリンタ部１２，１４を挿入口１１から見て前後に配置し、それらの印字対象物を挿入口１１から共通に排出させる場合、手前側のプリンタ部１２により印字された印字対象物は、第１の搬送路２１により逆転搬送を行わなければならない。これに対し、奥側のプリンタ部１４により印字された印字対象物は、第２の搬送路２５から合流部を経て第１の搬送路２１により挿入口１１までの搬送される間、搬送方向は逆転することなく同一方向のままである。本発明では手前側に配置された第１のプリンタ部１２により、ある程度の厚さを有し、折れ曲がり難い通帳を印字対象物としたので、第１の搬送路２１により逆転搬送を行ってもジャムが発生することはない。一方、第２のプリンタ部１４の印刷対象物である帳票用紙は薄い１枚の紙であるため、逆転搬送を行うとジャムが比較的発生しやすい。しかし、本発明では第２のプリンタ部１４から挿入口１１までの搬送方向は、上述のように同一の方向であるため、薄い１枚の帳票用紙であってもジャムが発生する可能性は極めて低くなる。すなわち、本発明による第１のプリンタ部１２と第２のプリンタ部１４との配置構成は、ジャムが生じ難い安定した印字を可能としている。
【００３１】
さらに、第１のプリント部１２で印字した通帳、及び第２のプリント部１４で印字した帳票用紙を挿入口１１から共通に排出させるため、これら通帳及び帳票用紙をバックフィードによって挿入口１１に搬送する第１の搬送路２１が設けられており、その下流方向端部に回収部（キャプチャービン）２６を設け、この第１の搬送路と第２の搬送路２５との合流部に切換え用のフラッパー２７を設けたので、常時は帳票用紙を第１の搬送路２１に合流させる合流路を形成すると共に、必要に応じて通帳及び帳票用紙に対する共通の回収路を形成することができる。このようにキャプチャービン２６を含む回収機構を通帳と帳票用紙で共用することができるので、装置各部の利用率が向上し、装置全体の小形化が可能になる。
【符号の説明】
【００３２】
１１…挿入口
１２…第１のプリンタ部
１４…第２のプリンタ部
２１…第１の搬送路
２５…第２の搬送路
２６…回収部
２７…フラッパー
【図１】
2010214617.tif 000003
【図２】
2010214617.tif 000004
【図３】
2010214617.tif 000005